(57)【要約】　　　（修正有）【課題】ＬＥＤのための標準的な場所を確定するイジェクタラッチインジケータライトおよびコネクタ方法および装置を提供する。【解決手段】インジケータライト１１５は、前記イジェクタラッチ１００５が結合されるように構成されるバルクヘッドによって光が妨害されることなく、前記イジェクタラッチ１００５から前記光を放射するように構成される、該インジケータライトと、前記イジェクタラッチ１００５と一体に構成される圧入コネクタ７２５であって、前記圧入コネクタ７２５は、前記イジェクタラッチ１００５と前記プリント回路基板との間の取外し可能に結合可能な電気的接続を設けるように構成されることを特徴とするイジェクタラッチインジケータライトおよびコネクタアセンブリ。【選択図】図１０
2004102999.tif 000002
【特許請求の範囲】
【請求項１】
　イジェクタラッチインジケータライトおよびコネクタアセンブリにおいて、
　イジェクタラッチと、
　前記イジェクタラッチと一体に構成されるインジケータライトであって、該インジケータライトは、前記イジェクタラッチが結合されるように構成されるバルクヘッドによって光が妨害されることなく、前記イジェクタラッチから前記光を放射するように構成される、該インジケータライトと、
　前記イジェクタラッチと一体に構成される圧入コネクタであって、前記圧入コネクタは、前記イジェクタラッチとプリント回路基板との間の前記取外し可能に結合可能な電気的接続が不注意から断線されるようになるのを減らしながら、前記イジェクタラッチと前記プリント回路基板との間の取外し可能に結合可能な電気的接続を設けるように構成される、該圧入コネクタと、
を備えることを特徴とするイジェクタラッチインジケータライトおよびコネクタアセンブリ。
【請求項２】
　前記インジケータライトは発光ダイオードであることを特徴とする請求項１に記載のイジェクタラッチインジケータライトおよびコネクタアセンブリ。
【請求項３】
　前記イジェクタラッチと一体に構成される複数の前記インジケータライトおよび圧入コネクタを備え、前記複数のインジケータライトは、前記インジケータライトから放射される前記光が前記バルクヘッドによって妨害されるのを低減しながら、前記バルクヘッドに対して前記イジェクタラッチから光を放射するように構成され、前記複数の圧入コネクタは、前記イジェクタラッチと前記プリント回路基板との間の取外し可能に結合可能な電気的接続が不注意から断線されるようになるのを減らしながら、前記イジェクタラッチと前記プリント回路基板との間の前記取外し可能に結合可能な電気的接続を設けるように構成されることを特徴とする請求項１に記載のイジェクタラッチインジケータライトおよびコネクタアセンブリ。
【請求項４】
　前記イジェクタラッチは、ＣＰＣＩ（compact Peripheral Component Interconnect）規格に準拠して前記バルクヘッドと結合されることを特徴とする請求項１に記載のイジェクタラッチインジケータライトおよびコネクタアセンブリ。
【請求項５】
　前記イジェクタラッチは、ＶＭＥ（VersaModular Eurocard）規格に準拠して前記バルクヘッドと結合されることを特徴とする請求項１に記載のイジェクタラッチインジケータライトおよびコネクタアセンブリ。
【請求項６】
　前記イジェクタラッチは、
　前記イジェクタラッチと一体に構成される光拡散用パイプを備え、該光拡散用パイプは、前記イジェクタラッチと一体に構成される前記インジケータライトから放射される前記光を前記イジェクタラッチの外部に誘導することを特徴とする請求項１に記載のイジェクタラッチインジケータライトおよびコネクタアセンブリ。
【請求項７】
　前記インジケータライトは、
　ヘッド部と、
　前記ヘッド部に結合される電線と、を備え、
該電線は、前記ヘッド部とプリント回路基板とを電気的に結合するように構成され、前記プリント回路基板からの信号が前記ヘッド部によって受信されることを特徴とする請求項１に記載のイジェクタラッチインジケータライトおよびコネクタアセンブリ。
【請求項８】
　前記電線は、
　前記電線に結合される電流制限抵抗を備え、該電流制限抵抗は、前記インジケータライトを起動するために複数の電圧レベルを利用できることを特徴とする請求項７に記載のイジェクタラッチインジケータライトおよびコネクタアセンブリ。
【請求項９】
　前記圧入コネクタは、
　前記プリント回路基板と結合されるパッド部と、
　前記イジェクタラッチと一体に構成される電線と、を備え、
該電線は前記パッド部と取外し可能に結合可能であり、また該電線は、前記プリント回路基板上の前記パッド部を前記イジェクタラッチと電気的に結合するように構成され、前記プリント回路基板からの信号が前記イジェクタラッチによって受信されるようにする、ことを特徴とする請求項１に記載のイジェクタラッチインジケータライトおよびコネクタアセンブリ。
【請求項１０】
　前記圧入コネクタの前記電線は、前記パッド部に対する接続性を高めるためにＳ字状の部分を有することを特徴とする請求項９に記載のイジェクタラッチインジケータライトおよびコネクタアセンブリ。
【発明の詳細な説明】
【技術分野】
【０００１】
　本発明はコンピュータシャーシ構造の分野に関する。より具体的には、本発明は、コンピュータシャーシ構造とともに用いられるイジェクタラッチインジケータライトおよびコネクタに関する。
【背景技術】
【０００２】
　現在、プリント回路アセンブリ（ＰＣＡ）は基板（たとえば、ＰＣボード）と、それに関連付けられる超小型回路とから構成される。通常、ＰＣＡはシャーシ構造とともに用いられ、大量の処理能力を小さな空間内に収容できるようにする。一般的には、シャーシ構造は、より大きなネットワークとは別に、あるいはそれとともに、あるいはその一部として動作する多数のＰＣＡを収容する場合がある。多くの場合に、ＰＣＡは非常に特殊な標準規格に関連するシャーシタイプ構造に取り付けられる。通常、ＰＣＡを取り付けるための標準規格は、たとえば、ｃＰＣＩ(compact Peripheral Component Interconnect)規格およびＶＭＥ(VersaModular Eurocard)規格を含む。
【０００３】
　通常、上記の標準規格（たとえば、ｃＰＣＩあるいはＶＭＥ）のうちの１つに合わせて作製されるシャーシタイプ構造において用いられるＰＣＡは、プリント回路基板（ＰＣＢ）上に実装される発光ダイオード（ＬＥＤ）のようなインジケータライトを備える。それらのＬＥＤは、限定はしないが、ＰＣＡがホットスワップ可能である状態、診断状態および進行インジケータを含む、ＰＣＡ上で実行されるアプリケーションの種々の状態を知らせるために従来から用いられる。たとえば、ＰＣＡのホットスワップ状態のためのｃＰＣＩ用業界標準ＬＥＤ色は青色である。それゆえ、ライトが点灯している（あるいは消灯している、あるいは仕様に応じて点滅している）場合には、ＰＣＡはホットスワップされる状態になっている。ホットスワップ状態を指示する場合のような、アプリケーションの状態情報に加えて、ＬＥＤを用いて、ローカルエリアネットワーク（ＬＡＮ）の接続性、接続速度（たとえば、１０メガビット、１００メガビット、１ギガビット等）、電源オンあるいはオフ等を指示することもできる。
【０００４】
　ＰＣＡにおけるＬＥＤの別の用途は識別用である。具体的には、保守担当者がシャーシにおいて作業中であり、かつ具体的なＰＣＡを特定する必要がある場合には、オペレータは短時間、ＬＥＤを点灯あるいは消灯することができ、それによりＰＣＡを正確に特定できるようになる。
【０００５】
　ＬＥＤはＰＣＢ上に実装されるので、通常はＬＥＤ（あるいは複数のＬＥＤ）を目視すること、および物理的に近づくことが制限される。たとえば、ユーザがＬＥＤを目視するためには、ＰＣＡのバルクヘッドに穴をあけなければならない。その際、ＬＥＤはその穴を通して光を放射し、それによりユーザはＰＣＡの状態を目視できるようになる場合がある。場合によっては、ＬＥＤの視認性を向上させるために、ＰＣＡのバルクヘッド内の穴とともに光拡散用パイプが用いられる。
【０００６】
　ＬＥＤを観測するためにＰＣＡのバルクヘッドに穴をあけることの問題点の１つに、ＰＣＡによってＬＥＤの場所が一様ではないことがある。たとえば、ＬＥＤ（１つあるいは複数）の場所に関するｃＰＣＩ業界標準規格は存在しない。それゆえ、システム（あるいはＰＣＡ）の設計者は誰でも、ＬＥＤ（１つあるいは複数）の場所（１つあるいは複数）を確定し、正確な穴位置（１つあるいは複数）を有するバルクヘッドを設計し、１つあるいは複数のＬＥＤに関連する１つあるいは複数の光拡散用パイプを用いるか否かを選択しなければならない。
【０００７】
　上記の特別仕様のバルクヘッドの要件に加えて、業界標準のＬＥＤの場所が存在しないので、ユーザ（たとえば、管理担当者あるいは保守担当者）は、バルクヘッドに対するＬＥＤの位置に関して決して確信を持つことができない。それゆえ、青色ＬＥＤが消灯しており、ＰＣＡがホットスワップできる状態であるとユーザが確信する場合であっても、実際には、間違った穴あるいは間違ったＬＥＤを覗いている場合がある。そのような場合には、ＰＣＡが早まって取り外され、ＰＣＡ内の部品に損傷が生じる恐れがある。
【０００８】
　ＰＣＢ上でＬＥＤを用いる際の別の問題は、必要とされる空間の大きさである。たとえば、ＬＥＤはＰＣＢ上の空間を占有するだけでなく、他のコネクタ、ケーブル、インジケータ等がＬＥＤおよびＬＥＤの目視用の穴の周囲に注意深く配置され、ＬＥＤからバルクヘッドに向かう光が遮断されないようにしなければならない。さらに、ＰＣＡのバルクヘッドの空間も制限される。それゆえ、バルクヘッドに１つあるいは複数の穴をあけることにより（ＬＥＤの目視用の窓を設けるために）、コネクタ、ラベル、通信ポート等のための空間が制約される。
【０００９】
　さらに、上記の標準規格（たとえば、ｃＰＣＩあるいはＶＭＥ）のうちの１つに従って作製されるシャーシタイプ構造において用いられるＰＣＡは、シャーシにＰＣＡを取り付けるために用いられるイジェクタラッチを有する。シャーシへのＰＣＡの取付けが正確に行われるようにするために、係合／離脱回路がイジェクタラッチと一体に構成される。それゆえ、ＰＣＡが適当に設置されるとき、イジェクタラッチ回路が閉じられ、ＰＣＡの動作を開始することができる。しかしながら、ＰＣＡが正しく設置されない場合には、イジェクタラッチ回路は開いたままになり、ＰＣＡの動作は開始されないであろう。さらに、動作中のＰＣＡがシャーシから取り外すための準備をされるとき、イジェクタラッチが離脱される。イジェクタラッチが離脱することにより、イジェクタラッチ回路が開き、ＰＣＢをシャーシから取り外すための準備がなされるようになる。たとえば、イジェクタラッチが離脱されるとき、ＰＣＢは、システムから取り外される準備をするために、シャットダウンの過程を開始することができる。
【００１０】
　一般的に、ＰＣＡの組立て中に、イジェクタラッチがバルクヘッドに部分的に取り付けられ、その後ＰＣＢがイジェクタラッチに取り付けられる。その後、ＰＣＢは、バルクヘッドおよびイジェクタラッチの両方に対して適当な位置にねじ留めされる。その後、イジェクタラッチからのピグテールがＰＣＢに差し込まれる。概して、ピグテールの長さは１インチであり、それゆえ、ＰＣＢ上の差込み位置は、イジェクタラッチおよびバルクヘッドの両方にある程度近くなければならない。
【００１１】
　上記のピグテールを用いてイジェクタラッチとＰＣＢとを接続することに関する１つの問題は、ＰＣＡをシャーシに挿入する前にピグテールに差し込む必要があることである。たとえば、組み立てられたＰＣＡの輸送中に、イジェクタラッチとＰＣＢとの間の接続がゆるむ可能性がある。ユーザが外れたことに気が付かない場合には、シャーシに取り付けられたＰＣＡは、ＰＣＢによって生成されるフォールス・オープン信号に起因して動作しない場合がある。そのような状態では、その問題を解決するために、ユーザはＰＣＡをトラブルシュートしなければならないか、あるいは専門技術者に頼んでＰＣＡをトラブルシュートしてもらわなければならないであろう。
【００１２】
　ピグテールコネクタに関する別の問題はピグテールのワイヤの損傷である。たとえば、シャーシに対してＰＣＡを抜差しすることにより損傷が生じる。具体的には、ワイヤがシャーシ上の他の構造物（たとえば、カードガイド、フレームワーク、他のＰＣＡ等）と擦れ合うか、あるいはＰＣＡ自体（たとえば、ロケータピン等）と擦れ合い、結果としてコネクタの雌側と雄側とが切断される可能性がある。さらに、ワイヤが損傷する結果として、ワイヤ間に短絡が生じ、その結果、イジェクタラッチが誤って開いた状態あるいは閉じた状態になる可能性がある。さらに、損傷によって、コネクタ内のワイヤが完全に断線する可能性がある。
【００１３】
　上記の断線の問題に加えて、ｃＰＣＩ業界標準規格にはＰＣＢ差込み位置の規定がない。すなわち、ＰＣＢ設計者はイジェクトラッチピグテールのためのＰＣＢコネクタをある範囲内の場所に配置することができる。それゆえ、コストと時間とが必要とされるか、あるいはさらに仕様に応じて製造される必要がある。たとえば、設計者は１インチ径の範囲内にイジェクタラッチピグテールのためのＰＣＢコネクタを配置する。さらに、設計者が２インチピグテールを有するイジェクタラッチとともに用いるためのＰＣＢを利用あるいは設計する場合には、ユーザは、ある特定のＰＣＢとともに用いることができるイジェクタラッチのタイプにさらに制限される場合がある。
【００１４】
　このように、イジェクタラッチを利用することには、標準的なものはなく、時間がかかり、望ましい「製造しやすい設計」が欠けている。
【発明の開示】
【発明が解決しようとする課題】
【００１５】
　本発明は、ＬＥＤのための標準的な場所を確定するイジェクタラッチインジケータライトおよびコネクタ方法および装置を提供する。また本発明は、上記の成果を達成するとともに、目視用の開口部を持たない標準的なバルクヘッドを容易に利用できるようにするイジェクタラッチインジケータライトおよびコネクタ方法および装置を提供する。また本発明は、上記の成果を達成するとともに、業界標準部品との接続を容易にし、かつ業界標準仕様を満足するように構成されることができるイジェクタラッチンジケータライトおよびコネクタ方法および装置を提供する。
【課題を解決するための手段】
【００１６】
　具体的には、インジケータライトから放射される光のバルクヘッドによる妨害を低減し、イジェクタラッチとプリント回路基板（ＰＣＢ）との間の電気的接続を確立するためのイジェクタラッチインジケータライトおよびコネクタアセンブリが開示される。一実施形態では、本発明はイジェクタラッチから構成される。本発明はさらに、イジェクタラッチと一体に構成されるインジケータライトから構成される。そのインジケータライトは、インジケータライトから放射される光のバルクヘッドによる妨害が低減されるようにしながら、イジェクタラッチから光を放射するように構成される。一実施形態では、本発明はさらに、イジェクタラッチと一体に構成される圧入コネクタから構成される。圧入コネクタは、イジェクタラッチとプリント回路基板（ＰＣＢ）との間の取外し可能に結合可能な電気的接続が不注意から断線してしまうことが少なくなるようにしながら、イジェクタラッチとＰＣＢとの間に取外し可能に結合可能な電気的接続を設けるように構成される。
【発明の効果】
【００１７】
　このように、本発明は、ＬＥＤのための標準位置を確定するイジェクタラッチインジケータライトおよびコネクタ方法および装置を提供する。また本発明は、上記の成果を達成するとともに、目視用の開口部を持たない標準的なバルクヘッドを容易に利用できるようにするイジェクタラッチンジケータライトおよびコネクタ方法および装置を提供する。また本発明は、上記の成果を達成するとともに、業界標準部品との接続を容易にし、かつ業界標準仕様を満足するように構成されることができるイジェクタラッチインジケータライトおよびコネクタ方法および装置を提供する。
【発明を実施するための最良の形態】
【００１８】
　本明細書において援用され、その一部を形成する添付の図面は、本発明の実施形態を例示しており、その説明とともに、本発明の原理を説明する役割を果たす。
【００１９】
　以下の説明において参照される図面は、具体的に言及される場合を除いて、寸法どおりに描かれていないものと理解されたい。
【００２０】
　ここで、その例が添付の図面に例示される、本発明の好ましい実施形態が詳細に参照されることになる。本発明は好ましい実施形態に関連して記載されることになるが、それらは本発明をその実施形態に限定することを意図していないことは理解されたい。それとは逆に、本発明は、代替形態、変更形態および等価形態を網羅することを意図しており、それらの形態は併記の特許請求項によって規定されるような本発明の精神および範囲内に含めることができる。さらに、本発明の以下に記載される詳細な説明では、本発明を完全に理解できるようにするために、多数の具体的な細部が記載される。しかしながら、本発明は、これらの具体的な細部を用いることなく実施することができる。他の事例では、本発明の態様を不必要に曖昧にしないように、周知の方法、手順、構成要素、および回路は詳細には記載されていない。
【００２１】
　イジェクタラッチインジケータライトの物理的特性
　ここで図１Ａ〜図３Ｂを参照すると、本発明の実施形態によるイジェクタラッチインジケータライトアセンブリの側面図が示される。以下の説明は、本発明のイジェクタラッチインジケータライトアセンブリの物理的な特性を詳細に説明することから開始されるであろう。その後、本発明のイジェクタラッチインジケータライトアセンブリの使用法および動作が詳細に説明されることになる。本発明のイジェクタラッチインジケータライトアセンブリの物理的な構造に関しては、明瞭にするために、図１Ａ〜図３Ｂにおいてイジェクタラッチインジケータライトアセンブリ（たとえば、１００〜３５０）の一方の側面のみが示される。本実施形態では、イジェクタラッチインジケータライトアセンブリ（たとえば、１００〜３５０）はイジェクタラッチ１０５を含む。以下に詳細に説明されるように、一実施形態では、たとえば、ｃＰＣＩ(compact Peripheral Component Interconnect)規格およびＶＭＥ(VersaModular Eurocard)規格のような業界標準規格に準拠する寸法および特性を有するイジェクタラッチ１０５が形成されることが重要である。
【００２２】
　ここで図１Ａを参照すると、イジェクタラッチインジケータライトアセンブリ１００は、イジェクタラッチ１０５と一体に構成されるインジケータライト１１５も備える。一実施形態では、インジケータライト１１５は発光ダイオード（ＬＥＤ）から構成される。インジケータライト１１５は最終的には、それが結合されるプリント回路アセンブリ（ＰＣＡ）のための状態インジケータとして用いられる。本実施形態では、インジケータライト１１５としてＬＥＤが具体的に説明されるが、インジケータライト１１５は、たとえば、電球等を含む、種々の他のタイプのインジケータライトとともに用いるのにも適している。簡潔かつ明瞭にするために、図面には、多数の実現可能なインジケータライトは個々には示されない。図１Ａおよび図１Ｂに示されるように、インジケータライト１１５はヘッド部１２０と、電線（たとえば、１２５および１３０）とから構成される。以下で詳細に説明されるように、一実施形態（たとえば、図２Ａおよび図３Ａ）では、ヘッド部１２０は、イジェクタラッチ１０５の外側表面に一致して配置されるように構成される。インジケータライト１１５は、イジェクタラッチ１０５が結合されるように構成されるバルクヘッドによって光が妨害されないようにしながら、イジェクタラッチ１０５から光を放射するように構成される。図５Ａ〜図５Ｇは本発明の他の実施形態を示しており、複数のインジケータライト１１５が、バルクヘッドによる、インジケータライト１１５から放射される光の妨害を低減するようにしながら、イジェクタラッチ１０５から光を放射するように構成される。
【００２３】
　さらに図１Ａを参照すると、一実施形態では、イジェクタラッチインジケータライトアセンブリ１００は、イジェクタラッチ１０５と一体に構成される光拡散用パイプ１１０も備える。光拡散用パイプ１１０は、インジケータライト１１５からの光をイジェクタラッチ１０５の外側に誘導するために用いられる。一実施形態では、光拡散用パイプ１１０には、光ファイバ、光路等を用いてよい。図１Ｂおよび図３Ｂに示されるように、光拡散用パイプ１１０は、インジケータライト１１５の位置を変更できるようにするだけの十分な長さを有してよい。他の実施形態（たとえば、図２Ａ、図２Ｂおよび図３Ａ）では、光拡散用パイプ１１０はオプションであり、インジケータライト１１５は、光拡散用パイプ１１０を用いなくても、動作に支障がなく使用することができる。
【００２４】
　また図１Ａのイジェクタラッチインジケータライトアセンブリ１００は、インジケータライト１１５のヘッド部１２０に結合される電線１２５および電線１３０も備える。電線１２５および電線１３０は、ヘッド部１２０とプリント回路基板（ＰＣＢ）あるいはプリント回路アセンブリ（ＰＣＡ）とを電気的に結合する。電線１２５および電線１３０は、ＰＣＢあるいはＰＣＡから受信することができる、ヘッド部１２０を制御する信号を伝送するために用いられる。ここで図４Ａおよび図４Ｂを参照すると、電線（たとえば１２５および１３０）には電流制限抵抗４２０が結合される場合もある。一実施形態では、電流制限抵抗４２０は、ＰＣＢコネクタ４１０において終端する一体型スイッチと結合される。電流制限抵抗４２０によって、インジケータライト１１５を起動するために、複数の電圧レベルを用いることができるようになる。たとえば、インジケータライト１１５は１．５Ｖ、３．３Ｖ、あるいは５Ｖで動作するように設定される。電流制限抵抗４２０のさらに詳しいことは本明細書に記載される。
【００２５】
　イジェクタラッチインジケータライトの使用法および動作
　以下に記載されるのは、本発明のイジェクタラッチインジケータライトアセンブリの使用法および動作に関する詳細な説明である。再び図１Ａを参照すると、一実施形態では、インジケータライト１１５がイジェクタラッチ１０５のようなイジェクタラッチと一体に構成される。一実施形態（たとえば、図１Ａ）では、インジケータライト１１５はイジェクタラッチ１０５の端部に近接して、イジェクタラッチ１０５と一体に構成され、インジケータライト１１５から放射される光を拡散するために光拡散用パイプ１１０が用いられる。別の実施形態（たとえば、図１Ｂ）では、インジケータライト１１５はイジェクタラッチ１０５の端部以外の場所で、イジェクタラッチ１０５と一体に構成され、インジケータライト１１５からイジェクタラッチ１０５の端部まで光を伝送するために、光拡散用パイプ１１０が用いられる。さらに別の実施形態（たとえば、図３Ｂ）では、インジケータライト１１５はイジェクタラッチ１０５の端部以外の場所で、イジェクタラッチ１０５と一体に構成され、インジケータライト１１５からイジェクタラッチ１０５の外部まで光を伝送するために、光拡散用パイプ１１０が用いられる。
【００２６】
　図２Ａは、ヘッド部１２０の上側表面がイジェクタラッチ１０５の外側表面に一致して配置されるように、インジケータライト１１５がイジェクタラッチ１０５と一体に構成される実施形態を示す。別の実施形態（たとえば、図２Ｂ）では、ヘッド部１２０がイジェクタラッチ１０５の外側表面から挿入され、インジケータライト１１５からの光が放射されるようにするために、開口部（あるいは通路）２６０が用いられる。さらに、図３Ｂに示されるように、一実施形態では、インジケータライト１１５は、イジェクタラッチ１０５の端部以外の場所で、イジェクタラッチ１０５の外側部分と一致するように配置されることができる。
【００２７】
　重要なのは、ユーザがインジケータライト１１５を目視できるようにしておくために、インジケータライト１１５をＰＣＡバルクヘッドからオフセットすることにより、本発明がインジケータライト１１５とイジェクタラッチ１０５とを一体に構成することに非常に適していることである。さらに、本発明は、インジケータライト１１５の場所が標準化されるようにする。それゆえ、従来技術の手法とは異なり、本実施形態は、インジケータライト（１つあるいは複数）１１５の場所を恣意的に選択しない。さらに、従来技術の手法とは異なり、本実施形態は、インジケータライトを目視するための目視用の開口部を設けるために、標準的なＰＣＡバルクヘッドを製造後に加工する必要がない。その代わりに、本実施形態によれば、顧客は、顧客が選択する特定のＰＣＡバルクヘッドを利用しながら、本実施形態で達成される、有利な目視妨害の低減を実現できるようになる。たとえば、イジェクタラッチ１０５は、ケーブルおよびコネクタが取外し可能に結合される種々のタイプのバルクヘッドとともに、さらにはインジケータライト光源の視覚的な特性に悪影響を及ぼすことなく、ケーブルおよび電気接続が一体に構成される種々のタイプのバルクヘッドとともに用いるのにも非常に適している。
【００２８】
　ここで図１Ａ〜図４Ｂを参照すると、一実施形態では、インジケータライト１１５はヘッド部１２０と電線部（たとえば、１２５および１３０）とを備える。電線部（たとえば、１２５および１３０）は、ヘッド部１２０を起動する信号をＰＣＡあるいはＰＣＢから受信できるように、ＰＣＡあるいはＰＣＢに電気的に接続される。さらに、図４Ａおよび図４Ｂを参照すると、一実施形態では、電線（たとえば、１２５および１３０）は、ＰＣＢコネクタ４１０で終端する一体型スイッチを介してＰＣＡあるいはＰＣＢと電気的に結合される。一般的には、ＰＣＢコネクタ４１０は、ＰＣＢあるいはコンピュータシャーシ上に配置される取付け穴に対応する標準的なリンクタブであり、イジェクタラッチ１０５の開いた状態あるいは閉じた状態を知らせるために用いられる。結果として、本発明によれば、インジケータライト１１５の電線（たとえば、１２５および１３０）はＰＣＢコネクタ４１０を介してＰＣＡあるいはＰＣＢに結合されるようになり、イジェクタラッチ１０５あるいはそれを取り付けることができるＰＣＡまたはＰＣＢに悪影響を及ぼす配線変更あるいは製造変更を心配することはない。
【００２９】
　さらに図４Ａおよび図４Ｂを参照すると、電線（たとえば、１２５および１３０）に電流制限抵抗４２０が結合されることができる。一実施形態では、電流制限抵抗４２０は、ＰＣＢコネクタ４１０において終端する一体型スイッチと結合される。一般的には、電流制限抵抗４２０によって、インジケータライト１１５を起動するために、複数の電圧レベルを利用できるようになる。たとえば、一方の電線（たとえば１２５）はある電流と、グランド接続とを有する。他方の電線（たとえば１３０）は、電流制限抵抗４２０と結合される。こうして、電流制限抵抗４２０によって、インジケータライト１１５に達する電流を適当なレベルに制限しながら、インジケータライト１１５を駆動するために種々の電圧レベル（たとえば、１．５Ｖ、３．３Ｖ、５Ｖ等）をＰＣＡにおいて用いることができる。
【００３０】
　ここで図５Ａ〜図５Ｇを参照すると、イジェクタラッチインジケータライトアセンブリの正面図が示される。具体的には、本発明が、インジケータライト１１５のための種々の場所と、１つあるいは複数のインジケータライト１１５とを利用する実施形態の例が示される。図５Ａ、図５Ｃ、および図５Ｅに示されるように、インジケータライト１１５は、イジェクタラッチ１０５内（あるいは上）の複数の場所に配置されることができる。さらに、インジケータライト１１５は、イジェクタラッチを通してインジケータライト１１５からの光を伝送するために、光拡散用パイプ１１０を用いることができる。たとえば、ホットスワップ状態を指示するために、青色ＬＥＤがイジェクタラッチ１０５と一体に構成される。
【００３１】
　さらに、図５Ｂ、図５Ｄ、図５Ｅ、および図５Ｇに示されるように、複数のインジケータライト１１５がイジェクタラッチ１０５内（あるいは上）の複数の場所に配置されることができる。さらに、複数のインジケータライト１１５のうちのいくつかあるいは全てが光拡散用パイプ１１０を用いることができる。たとえば、ＰＣＡの動作状態（たとえば、ホットスワップ状態の指示、ローカルエリアネットワーク（ＬＡＮ）接続性の指示、接続速度（（たとえば、１０メガビット、１００メガビット、１ギガビット等）、電源オンあるいはオフ等）を示すために、複数のインジケータが選択される場合には、それらが全てイジェクタラッチ１０５と一体に構成され、その上の複数の場所に配置されることができる。
【００３２】
　ここで図６を参照すると、本発明の一実施形態に従って実行されるステップを要約する流れ図６００が示される。ステップ６０２では、本実施形態によって、インジケータライトとイジェクタラッチとが一体に構成される。先に詳細に記載されたように、インジケータライト（たとえば、インジケータライト１１５）は、イジェクタラッチが結合されるように構成されるバルクヘッドによって光が妨害されないようにしながら、イジェクタラッチから光を放射するように構成される。
【００３３】
　次に、ステップ６０４では、本実施形態によって、電線を用いてインジケータライトとＰＣＢとが電気的に結合される。本発明は、ＰＣＡの各バルクヘッドと、特定のＰＣＢおよびその上にあるインジケータライトの場所とを仕様に応じて一致させることを不要にする点で有利である。その代わりに、本実施形態によれば、ＰＣＡアセンブリは独立して製造されるようになり、後に用いられるインジケータライトの場所あるいはバルクヘッドの心配をする必要がない。さらに、インジケータライト（たとえば、ＬＥＤ）を配置し直す場合、ＰＣＢ上でさらに大きな空間を利用できるようになり、もはやコネクタ、ケーブル、インジケータ等によってインジケータライトを目視するのが遮られることがなくなるので、製造要件が緩和される。こうして、本発明は、従来技術において欠けていた、「製造しやすい設計」を達成する。さらに、視覚的な妨害を低減し、ホットスワップインジケータの場所を標準化することにより、本発明はホットスワップ環境において用いるのに非常に適している。
【００３４】
　イジェクタラッチコネクタの物理的特性
　ここで図７を参照すると、本発明の実施形態によるイジェクタラッチコネクタアセンブリの側面図が示される。以下の説明は、本発明のイジェクタラッチコネクタアセンブリの物理的な特性の詳細な説明で始まるであろう。その後、その説明は、本発明のイジェクタラッチコネクタアセンブリの使用法および動作の詳細な説明を含むことになる。本発明のイジェクタラッチコネクタアセンブリの物理的な構造に関しては、明瞭にするために、図７にはイジェクタラッチコネクタアセンブリ（たとえば７００）の一方の側面のみが示される。本実施形態では、イジェクタラッチコネクタアセンブリ７００は、イジェクタラッチ７０５を含む。以下に詳細に説明されるように、一実施形態では、たとえば、ｃＰＣＩ(compact Peripheral Component Interconnect)規格およびＶＭＥ(VersaModular Eurocard)規格のような業界標準規格に準拠する寸法および特性を有するイジェクタラッチ７０５が形成されることが重要である。
【００３５】
　再び図７を参照すると、イジェクタラッチコネクタアセンブリ７００は、イジェクタラッチ７０５と一体に構成される圧入コネクタ７２５も含む。一実施形態では、圧入コネクタ２２５は面実装コネクタ（ＳＭＴ）である。圧入コネクタ７２５は最終的には、イジェクタラッチ７０５と、それが結合されるプリント回路基板（ＰＣＢ）との間の取外し可能に結合可能な電気的接続として用いられる。本実施形態では、圧入コネクタ７２５として具体的にはＳＭＴが記載されるが、圧入コネクタ７２５は、種々の他のタイプの圧入コネクタとともに用いるのにも非常に適している。簡潔かつ明瞭にするために、図面においては、多数の実現可能な圧入コネクタは個々には示されない。
【００３６】
　図７に示されるように、圧入コネクタ７２５は、パッド部７３０および電線７２０から構成される。本明細書において詳細に説明されるように、一実施形態（たとえば、図７および図８Ａ〜図８Ｄ）では、パッド部７３０はＰＣＢ８３０と結合されるように構成される。圧入コネクタ７２５は、イジェクタラッチ７０５とＰＣＢ８３０との間の取外し可能に結合可能な電気的接続が不注意から断線してしまうことが少なくなるようにしながら、イジェクタラッチ７０５とＰＣＢ８３０との間に取外し可能に結合可能な電気的接続を設けるように構成される。
【００３７】
　一実施形態では、圧入コネクタ７２５の電線７２０はイジェクタラッチ７０５と一体に構成される。さらに、図７（電線７２０の側面図）に示されるように、電線７２０は、パッド部７３０に対する接続性を高めるためにＳ字形で硬質（金めっきされたベリリウム−銅）の導電部から構成される。Ｓ字形の部分が示されるが、電線７２０が、より良好な電気的接続をもたらすことができる任意のタイプの曲がりおよび任意のタイプの材料を含む場合があることは理解されたい。さらに、電線７２０は真直ぐであり、より良好な電気的接続をもたらすために曲がりを含まない電線であってよい。最後に、７２０には３つの電線が示されるが、その概念は任意の数に拡張される。
【００３８】
　さらに図７を参照すると、パッド部７３０はいくつかの銅線から構成される場合がある。さらに、パッド部７３０は銅から構成されてもよく、それは、電線７２０とのより良好な電気的接続を確立するために、種々のパターンにエッチングされ、機械的なガイドを高めることができる。パッド部７３０のために用いられる材料として銅が記載されるが、任意の導電性材料（たとえば、銀、金、プラチナ等）を用いてよい。
【００３９】
　さらに図７を参照すると、一実施形態では、イジェクタラッチコネクタアセンブリ７００は、イジェクタラッチ７０５と一体に構成されるファスナアーム７１０も含む。ファスナアーム７１０は、図８のイジェクタラッチ７０５とバルクヘッド８２０およびＰＣＢ８３０とを正確に位置決めするために用いられる。一実施形態では、ファスナアーム７１０は、イジェクタラッチ７０５とＰＣＢ８３０とを固定するためにねじを用いることができる。図８Ａ〜図８Ｄに示されるように、ファスナアーム７１０は、イジェクタラッチ７０５とＰＣＢ８３０とを正確に位置決めし、それにより電線７２０がパッド部８３０との電気的接続を確立できるようにする。
【００４０】
　　イジェクタラッチコネクタの使用法および動作
　以下に記載されるのは、本発明のイジェクタラッチコネクタアセンブリの使用法および動作に関する詳細な説明である。ここで図８Ａを参照すると、一実施形態では、圧入コネクタ７２５が、イジェクタラッチ７０５のようなイジェクタラッチ、およびＰＣＢ８３０のようなＰＣＢと一体に構成される。一実施形態（たとえば、図８）では、圧入コネクタ７２５の電線７２０が、ファスナアーム７１０の下側でイジェクタラッチ７０５と一体に構成される。さらに、イジェクタラッチ７０５とＰＣＢ８３０との間の電気的接続を接続するためにさらに別のステップが必要とされないような場所において、パッド部７３０がＰＣＢ８３０と接続される。すなわち、ＰＣＡの組立て（たとえば、バルクヘッド８２０とイジェクタラッチ７０５およびＰＣＢ８３０との取付け）時に電線７２０およびパッド部７３０を配置することによって、圧入コネクタは取外し可能に結合可能な電気的接続を確立する。本実施形態では、バルクヘッド８２０およびＰＣＢ８３０の一部のみが示されることは理解されたい。さらに、大部分のＰＣＡには、２つのイジェクタラッチ７０５が取り付けられることは理解されたい。しかしながら、簡潔かつ明瞭にするために、１つのイジェクタラッチ７０５のみが示される。
【００４１】
　重要なのは、本発明が、イジェクタラッチ７０５とＰＣＢ８３０とを電気的に結合し、イジェクタラッチ７０５からの信号がＰＣＢ８３０によって受信されるようにするのに非常に適していることである。さらに、本実施形態によって、圧入コネクタ７２５の場所を業界標準にすることができる。それゆえ、従来技術の手法とは異なり、本実施形態は、ＰＣＢ８３０上のワイヤレセプタ（たとえば、パッド部７３０）の場所を恣意的に選択しない。さらに、従来技術の手法とは異なり、本実施形態は、イジェクタラッチ７０５とＰＣＢ８３０との間の電気的接続を確立するために、イジェクタラッチ７０５とＰＣＢ８３０との間の電線を組立て後に接続することを必要としない。代わりに、本発明によれば、顧客はメンテナンスの手間を減らすことができ、有利である。
【００４２】
　ここで図８Ａ〜図８Ｄを参照すると、イジェクタラッチコネクタアセンブリと、バルクヘッドおよびプリント回路基板との例示的な結合過程の一実施形態が示される。具体的には、図８Ａを参照すると、ＰＣＡ８００は、イジェクタラッチ７０５と、バルクヘッド８２０と、ＰＣＢ８３０と、圧入コネクタ７２５とから構成される。さらに、バルクヘッド８３０は、ファスナアーム７１０と取外し可能に結合するための固定部８４０を含む。バルクヘッド８２０およびＰＣＢ８３０は最初に互いに結合されているものとして示されるが、これは単に簡潔かつ明瞭にすることを目的としている。実際には、バルクヘッド８２０およびＰＣＢ８３０は最初に互いに結合されていないが、代わりにイジェクタラッチ７０５およびバルクヘッド８２０が最初に互いに結合されてもよい。
【００４３】
　ここで図８Ｂおよび図８Ｃを参照すると、イジェクタラッチ７０５と結合する場所に近づいているバルクヘッド８２０およびＰＣＢ８３０が示される。図８Ｃを参照すると、ＰＣＡ８５０は、イジェクタラッチ７０５とＰＣＢ８３０との結合が完了する前に、電線７２０がパッド部７３０と最初に接触することを示す。それゆえ、取外し可能に結合可能な電気的接続はＰＣＡ８５０の組立ての初期段階において確立されている。
【００４４】
　ここで図８Ｄを参照すると、全ての部分（たとえば、イジェクタラッチ７１０、バルクヘッド８２０、およびＰＣＢ８３０）が取外し可能に結合された後のＰＣＡ８７５が示される。完全に組み立てられるとき、圧入接続によって電線７２０およびパッド部７３０が電気的に結合される。さらに、ファスナアーム７１０が固定部８４０と位置合わせされ、それと取外し可能に結合される。こうして、ＰＣＡ８７５は組み立てられており、さらに別の組立てステップあるいはユーザの作業を必要とすることなく、組立てと同時に、イジェクタラッチ７０５とＰＣＢ８３０との間に電気的接続が確立されている。それゆえ、この時点で、イジェクタラッチ７０５の位置（たとえば、開いているか、閉じている）がＰＣＢ８３０によって検出されることもでき、それによりＰＣＡ８７５が正確に動作できるようになる。たとえば、一実施形態では、ＰＣＡ８７５がシャーシに挿入され、イジェクタラッチ７０５が係合されるとき、ＰＣＢ８３０はシステム内で動作することができるであろう。さらに、イジェクタラッチが離脱されるとき（たとえば、ホットスワップ、ＰＣＡ８７５のメンテナンス等のために）、ＰＣＢ８３０は、シャーシから取り外される前にシャットダウンを実行し、それによりＰＣＡ８７５が動作中にシャーシから取り外されるのを防ぐことができるであろう。
【００４５】
　ここで図９を参照すると、本発明の一実施形態に従って実行されるステップを要約する流れ図９００が示される。ステップ９０２では、本実施形態によって、圧入コネクタとイジェクタラッチとが一体に構成される。本明細書において詳細に説明されたように、圧入コネクタ（たとえば、圧入コネクタ７２５）は、イジェクタラッチ７０５とＰＣＢ８３０との間に取外し可能に結合可能な電気的接続を設けるように構成され、イジェクタラッチ７０５とＰＣＢ８３０との間を電気的に接続するために接続するさらに別のステップが必要とされないようにする。
【００４６】
　次にステップ９０４では、本実施形態がパッド部７３０とＰＣＢ８３０とを結合する。パッド部７３０は、ＰＣＢ８３０とイジェクタラッチ７０５との間に取外し可能に結合可能な電気的接続を設けるように構成される。本実施形態によれば、ＰＣＢとイジェクタラッチとを結合した後に、ＰＣＡの各イジェクタラッチと特定のＰＣＢとを電気的に結合する必要がなくなることが有利である。代わりに、本実施形態によれば、イジェクタラッチと、用いられることになるＰＣＢとを後に電気的に接続することを気にすることなく、ＰＣＡが組み立てられるようになる。さらに、圧入コネクタを標準化する場合、ＰＣＢを仕様に応じて製造する必要性が低減される。こうして、本発明は、従来技術に欠けていた「製造しやすい設計」を達成する。さらに、圧入コネクタ７２５の場所を標準化し、その信頼性を高めることにより、本発明は、ホットスワップ環境において用いるのに一段と相応しくなる。
【００４７】
　イジェクタラッチインジケータライトおよびコネクタの物理的特性
　以下に記載されるのは、本発明のイジェクタラッチインジケータライトおよびコネクタアセンブリの使用法および動作に関する詳細な説明である。本実施形態では、図１０のイジェクタラッチインジケータライトアセンブリ１０００はイジェクタラッチ１００５を含む。以下に詳細に説明されるように、一実施形態では、たとえば、ｃＰＣＩ(compact Peripheral Component Interconnect)規格およびＶＭＥ(VersaModular Eurocard)規格のような業界標準規格に準拠する寸法および特性を有するイジェクタラッチ１００５が形成されることが重要である。
【００４８】
　さらに図１０を参照すると、イジェクタラッチインジケータライトおよびコネクタアセンブリ１０００は、イジェクタラッチ１００５と一体に構成されるインジケータライト１１５も含む。本明細書に記載されるように、一実施形態では、インジケータライト１１５は発光ダイオード（ＬＥＤ）から構成され、ＬＥＤは最終的に、結合されるプリント回路アセンブリ（ＰＣＡ）のための状態インジケータとして用いることができる。本実施形態では、インジケータライト１１５としてＬＥＤが具体的に記載されるが、インジケータライト１１５は、たとえば、電球等を含む、種々の他のタイプのインジケータライトとともに用いるのにも非常に適している。
【００４９】
　上記のように、インジケータライト１１５はヘッド部１２０と、電線（たとえば、１２５および１３０）とから構成される。既に詳細に説明されるように、ヘッド部１２０は、イジェクタラッチ１００５に対して複数の場所に配置されるように構成される。インジケータライト１１５はさらに、イジェクタラッチ１００５が結合されるように構成されるバルクヘッドによって光が妨害されないようにしながら、イジェクタラッチ１００５から光を放射するように構成される。上記のように、複数のインジケータライト１１５を用いることもできる。
【００５０】
　さらに図１０を参照すると、一実施形態では、イジェクタラッチインジケータライトおよびコネクタアセンブリ１０００は、イジェクタラッチ１００５と一体に構成される光拡散用パイプ１１０も備える。光拡散用パイプ１１０は、インジケータライト１１５からの光をイジェクタラッチ１００５の外部に誘導するために用いられる。上記のように、光拡散用パイプ１１０は複数の形状をなすことができ、複数の場所において用いられる場合がある。さらに、光拡散用パイプ１１０には、光ファイバ、光路等を用いることができる。他の実施形態では、光拡散用パイプ１１０はオプションであり、インジケータライト１１５は、光拡散用パイプ１１０を用いなくても、動作に支障がなく使用することができる。
【００５１】
　また図１０のイジェクタラッチインジケータライトおよびコネクタアセンブリ１０００は、インジケータライト１１５のヘッド部１２０に結合される電線１２５および電線１３０も備える。電線１２５および電線１３０は、ヘッド部１２０とプリント回路基板（ＰＣＢ）あるいはプリント回路アセンブリ（ＰＣＡ）とを電気的に結合する。電線１２５および電線１３０は、ＰＣＢあるいはＰＣＡから受信されることができる、ヘッド部１２０を制御する信号を伝送するために用いられる。電線（たとえば１２５および１３０）には電流制限抵抗（たとえば、図４Ａの４２０）が結合される場合もあるが、簡潔かつ明瞭にするために、図１０には示されない。
【００５２】
　さらに図１０を参照すると、イジェクタラッチインジケータライトおよびコネクタアセンブリ１０００は、圧入コネクタ７２５も含む。一実施形態では、圧入コネクタ７２５の電線７２０が、ファスナアーム７１０の下側でイジェクタラッチ１００５と一体に構成される。圧入コネクタ７２５は、ＰＣＢあるいはＰＣＡから受信されることができる、ヘッド部１２０を制御する信号を伝送するために用いられる方法のうちの１つであることができる。さらに、大部分のＰＣＡには、その上に２つのイジェクタラッチ１００５が取り付けられることを理解されたい。しかしながら、簡潔かつ明瞭にするために、１つのイジェクタラッチ１００５のみが示される。
【００５３】
　イジェクタラッチインジケータライトおよびコネクタの使用法および動作
　以下に記載されるのは、本発明のイジェクタラッチインジケータライトおよびコネクタアセンブリの使用法および動作に関する詳細な説明である。再び図１０を参照すると、一実施形態では、インジケータライト１１５はイジェクタラッチ１００５の端部に近接して、イジェクタラッチ１００５と一体に構成され、インジケータライト１１５から放射される光を拡散するために光拡散用パイプ１１０が用いられる。１つの実施形態（たとえば、図１０）のみが示されるが、インジケータライト１１５に関する先に記載された態様および場所を、ここに詳細に記載されるコネクタアセンブリ７２５とともに用いられる場合があることは理解されたい。
【００５４】
　さらに、イジェクタラッチ１００５とＰＣＢとの間の電気的接続を接続するさらに別のステップが必要とされないような場所において、バッド部７３０もＰＣＢと結合される場合がある。すなわち、ＰＣＡの組立て（たとえば、バルクヘッドとイジェクタラッチ１００５およびＰＣＢとの取付け）時の電線７０２およびパッド部７３０の配置によって、圧入コネクタが取外し可能に結合可能な電気的接続を確立する。
【００５５】
　重要なのは、イジェクタラッチ７０５からの信号がＰＣＢによって受信されるようにするために、またインジケータライト１１５をＰＣＡバルクヘッドからオフセットすることにより、インジケータライト１１５がユーザから依然として視認可能であるようにするために、本発明はイジェクタラッチ１００５とＰＣＢとを電気的に接続するのに非常に適していることである。さらに、本実施形態によって、圧入コネクタ７２５およびインジケータライト１１５の場所を業界標準することができる。それゆえ、従来技術の手法とは異なり、本実施形態は、図８のＰＣＢ８３０のようなＰＣＢ上の電線レセプタ（たとえば、パッド部７３０）の場所あるいはインジケータライト（１つあるいは複数）１１５の場所を恣意的に選択しない。さらに、従来技術の手法とは異なり、本実施形態は、イジェクタラッチ１００５インジケータライト１１５とＰＣＢとの間の電気的接続を確立するために、電線を組付け後に接続する必要はない。代わりに、本実施形態によれば、顧客が選択した特定のＰＣＡバルクヘッドを利用しながら、顧客はメンテナンスの手間の削減を実現することができ、有利である。
【００５６】
　ここで図１１を参照すると、本発明の一実施形態に従って実行されるステップを要約する流れ図１１００が示される。ステップ１１０２では、本実施形態によって、インジケータライトとイジェクタラッチとが一体に構成される。先に詳細に記載されたように、インジケータライト（たとえば、図１０のインジケータライト１１５）は、イジェクタラッチが結合されるように構成されるバルクヘッドによって光が妨害されないようにしながら、イジェクタラッチから光を放射するように構成される。
【００５７】
　次に、ステップ１１０４では、本実施形態によって、圧入コネクタとイジェクタラッチとが一体に構成される。先に詳細に記載されたように、圧入コネクタ（たとえば、圧入コネクタ７２５）は、イジェクタラッチ１００５とＰＣＢとの間の電気的接続を接続するのにさらに別のステップが必要とされないようにしながら、イジェクタラッチ７０５とＰＣＢとの間の取外し可能に結合可能な電気的接続を設けるように構成される。
【００５８】
　さらに図１１を参照すると、ここでステップ１１０６では、本実施形態によって、パッド部７３０とＰＣＢとが接続され、パッド部７３０がＰＣＢとイジェクタラッチ１１０５との間の取外し可能に結合可能な電気的接続を設けるように構成される。本実施形態は、ＰＣＢとイジェクタラッチとを結合した後に、ＰＣＡの各イジェクタラッチと特定のＰＣＢとを電気的に結合しなくて済む点で有利である。代わりに、本実施形態によれば、イジェクタラッチと、用いられるＰＣＢとを後に電気的に接続するための心配をすることなく、ＰＣＡが組み立てられるようになる。さらに、本発明は、ＰＣＡの各バルクヘッドと、特定のＰＣＢおよびその上にあるインジケータライトの場所とを仕様に応じて一致させることを不要にする。その代わりに、本実施形態によれば、ＰＣＡアセンブリは独立して製造されるようになり、後に用いられるインジケータライトの場所あるいはバルクヘッドの心配をする必要がない。さらに、インジケータライト（たとえば、ＬＥＤ）を配置し直す場合、ＰＣＢ上でさらに大きな空間を利用できるようになり、もはやコネクタ、ケーブル、インジケータ等によってインジケータライトが目視されなくなることがなくなるので、製造要件が緩和される。こうして、本発明は、従来技術において欠けていた、「製造しやすい設計」を達成する。さらに、視覚的な妨害を低減し、ホットスワップインジケータの場所を標準化することにより、本発明はホットスワップ環境において用いるのに非常に適している。
【００５９】
　本発明の特定の実施形態の上記の説明は、例示および説明の目的を果たすために与えられてきた。それらは、余すところなく述べることや、本発明を開示されるのと全く同じ形態に制限することを意図するわけではなく、上記の教示に鑑みて、明らかに数多くの変更あるいは変形が実現可能である。それらの実施形態は、本発明の原理およびその実用的な応用形態を最もわかりやすく説明し、それにより当業者が、考慮される特定の用途に相応しいように本発明および種々の実施形態を種々の変更形態で最もよく利用できるようにするために選択され、説明された。本発明の範囲は、併記の特許請求項およびその等価物によって規定されることが意図されている。
【図面の簡単な説明】
【００６０】
【図１Ａ】本発明の実施形態によるイジェクタラッチインジケータライトアセンブリの側面図である。
【図１Ｂ】本発明の実施形態によるイジェクタラッチインジケータライトアセンブリの側面図である。
【図２Ａ】本発明の実施形態によるイジェクタラッチインジケータライトアセンブリの側面図である。
【図２Ｂ】本発明の実施形態によるイジェクタラッチインジケータライトアセンブリの側面図である。
【図３Ａ】本発明の実施形態によるイジェクタラッチインジケータライトアセンブリの側面図である。
【図３Ｂ】本発明の実施形態によるイジェクタラッチインジケータライトアセンブリの側面図である。
【図４Ａ】本発明の実施形態によるイジェクタラッチインジケータライトアセンブリの側面図である。
【図４Ｂ】本発明の実施形態によるイジェクタラッチインジケータライトアセンブリの側面図である。
【図５Ａ】本発明の実施形態によるイジェクタラッチインジケータライトアセンブリの正面図である。
【図５Ｂ】本発明の実施形態によるイジェクタラッチインジケータライトアセンブリの正面図である。
【図５Ｃ】本発明の実施形態によるイジェクタラッチインジケータライトアセンブリの正面図である。
【図５Ｄ】本発明の実施形態によるイジェクタラッチインジケータライトアセンブリの正面図である。
【図５Ｅ】本発明の実施形態によるイジェクタラッチインジケータライトアセンブリの正面図である。
【図５Ｆ】本発明の実施形態によるイジェクタラッチインジケータライトアセンブリの正面図である。
【図５Ｇ】本発明の実施形態によるイジェクタラッチインジケータライトアセンブリの正面図である。
【図６】本発明の一実施形態に従って実行されるステップの流れ図である。
【図７】本発明の一実施形態によるイジェクタラッチコネクタアセンブリの側面図である。
【図８Ａ】本発明の一実施形態による、イジェクタラッチコネクタアセンブリとバルクヘッドおよびプリント回路基板との例示的な接続過程を示す側面図である。
【図８Ｂ】本発明の一実施形態による、イジェクタラッチコネクタアセンブリとバルクヘッドおよびプリント回路基板との例示的な接続過程を示す側面図である。
【図８Ｃ】本発明の一実施形態による、イジェクタラッチコネクタアセンブリとバルクヘッドおよびプリント回路基板との例示的な接続過程を示す側面図である。
【図８Ｄ】本発明の一実施形態による、イジェクタラッチコネクタアセンブリとバルクヘッドおよびプリント回路基板との例示的な接続過程を示す側面図である。
【図９】本発明の一実施形態に従って実行されるステップの流れ図である。
【図１０】本発明の一実施形態によるイジェクタラッチライトおよびコネクタアセンブリの側面図である。
【図１１】本発明の一実施形態に従って実行されるステップの流れ図である。
【符号の説明】
【００６１】
１１５　インジケータライト
７２５　圧入コネクタ
８２０　バルクヘッド
８３０　プリント回路基板
１００５　インジェクタラッチ
【図１Ａ】
2004102999.tif 000003
【図１Ｂ】
2004102999.tif 000004
【図２Ａ】
2004102999.tif 000005
【図２Ｂ】
2004102999.tif 000006
【図３Ａ】
2004102999.tif 000007
【図３Ｂ】
2004102999.tif 000008
【図４Ａ】
2004102999.tif 000009
【図４Ｂ】
2004102999.tif 000010
【図５Ａ】
2004102999.tif 000011
【図５Ｂ】
2004102999.tif 000012
【図５Ｃ】
2004102999.tif 000013
【図５Ｄ】
2004102999.tif 000014
【図５Ｅ】
2004102999.tif 000015
【図５Ｆ】
2004102999.tif 000016
【図５Ｇ】
2004102999.tif 000017
【図６】
2004102999.tif 000018
【図７】
2004102999.tif 000019
【図８Ａ】
2004102999.tif 000020
【図８Ｂ】
2004102999.tif 000021
【図８Ｃ】
2004102999.tif 000022
【図８Ｄ】
2004102999.tif 000023
【図９】
2004102999.tif 000024
【図１０】
2004102999.tif 000025
【図１１】
2004102999.tif 000026